(57)【特許請求の範囲】
【請求項１】
一対の基板によって電気光学物質が保持された電気光学パネルと、前記一対の基板のうち一方の基板が他方の基板から張り出す部分に実装された前記電気光学パネルの駆動用ＩＣとを有する電気光学装置において、
表面および裏面のそれぞれに形成された表面側端子および裏面側端子がスルーホールを経由して電気的に接続しているフレキシブル基板を具備し、
前記表面側端子および前記裏面側端子には、それぞれ金めっきが施され、
前記表面側端子は、電子部品が半田により接続された端子を含み、
前記裏面側端子は、前記一方の基板の前記張り出し部分に形成されている第１のパネル側端子と異方性導電材によって接続された端子を含み、
前記一方の基板の前記張り出し部分には、前記電気光学パネルの外部から前記電子部品に信号を入力するための第２のパネル側端子を具備し、
前記裏面側端子は、前記第２のパネル側端子に異方性導電材によって電気的に接続された端子を含み、
前記表面側端子には、ラバーコネクタが弾性をもって圧接され、パネル外部と電気的に接続される端子が含まれ、
前記フレキシブル基板は、一面全体が前記一方の基板の前記張り出し部分に重ねられていることを特徴とする電気光学装置。
【請求項２】
一対の基板によって電気光学物質が保持された電気光学パネルと、前記一対の基板のうち一方の基板が他方の基板から張り出す部分に実装された前記電気光学パネルの駆動用ＩＣとを有する電気光学装置において、
表面および裏面のそれぞれに形成された表面側端子および裏面側端子がスルーホールを経由して電気的に接続しているフレキシブル基板を具備し、
前記表面側端子および前記裏面側端子には、それぞれ金めっきが施され、
前記表面側端子は、前記駆動用ＩＣに外付けされるキャパシタが半田により接続された端子を含み、
前記裏面側端子は、前記一方の基板の前記張り出し部分に形成されている第１のパネル側端子と異方性導電材によって接続された端子を含み、
前記フレキシブル基板は、一面全体が前記一方の基板の前記張り出し部分に重ねられていることを特徴とする電気光学装置。
【発明の詳細な説明】
【０００１】
【発明の属する技術分野】
本発明は、電気光学パネルに電子部品が実装された電気光学装置、および電気光学装置を用いた電子機器に関するものである。さらに詳しくは、電気光学パネルに対する電気的な接続構造に関するものである。
【０００２】
【従来の技術】
各種の電子機器のうち、携帯電話機は、例えば、図２に示すように、下ケース６、この携帯電話機１を機能させるための各種の電気回路が形成された回路基板７、照明装置１０、光拡散シート８、各種の表示を行なう電気光学パネル４００、および上ケース９がこの順に重ねられた構成になっている。
【０００３】
この照明装置１０において、導光板１２には、電気光学パネル４００が配置される表示領域１２１が矩形の凹部として形成され、この表示領域１２１において、底壁１２４の先端側の隅部分には、電気光学パネル４００と回路基板７とを電気的に接続するための矩形の貫通穴１２５が形成されている。
【０００４】
従って、図１１に示すように、回路基板７の上面側において、第１の反射材１５、導光板１２、光反射シート８および電気光学パネル４００を重ねて電気光学装置１００を構成したとき、回路基板７と電気光学パネル４００との間には、第１の反射材１５および導光板１２が介在するが、回路基板７と電気光学パネル４００とは、貫通穴１２５、１５５を介して対向している。それ故、回路基板７と電気光学パネル４００との間にラバーコネクタ６０を挟持させれば、ラバーコネクタ６０のコネクタ電極は、電気光学パネル４００のパネル側端子４８１に弾性をもって圧接するとともに、回路基板７の端子７８１にも弾性をもって圧接するので、電気光学パネル４００と回路基板７との間で端子４８１、７８１同士を電気的に接続することができる。
【０００５】
このような構成の電気光学装置１００に用いた電気光学パネル４００は、図１２に示すように、所定の間隙を介して貼り合わされた第１の透明基板４１０と第２の透明基板４２０との間に電気光学物質としての液晶（図示せず）が保持されている。また、第１の透明基板４１０および第２の透明基板４２０において、互いに対向する面には、ＩＴＯ膜（Ｉｎｄｉｕｍ  Ｔｉｎ  Ｏｘｉｄｅ／透明導電膜）によって電極パターン（図示せず）が形成されている。
【０００６】
ここで、第２の透明基板４２０が第１の透明基板４１０から張り出す部分４２５には、電極パターンの形成プロセスを利用して形成されたＩＴＯ膜によって、駆動用ＩＣ４９０を異方性導電材によってＣＯＧ実装するためのパネル側端子（図示せず）、この駆動用ＩＣ４９０に対して信号などを入出力するためのパネル側端子４８１、および駆動用ＩＣ４９０に対して外付けされる昇圧用のキャパシタ９１を異方性導電材８００によって実装するためのパネル側端子９１０（図１３を参照）が形成されている。パネル側端子４８１は、図１１を参照して説明したように、ラバーコネクタ６０を介して回路基板７の端子７８１に電気的に接続されるものである。
【０００７】
【発明が解決しようとする課題】
しかしながら、従来の電気光学装置１００において、電気光学パネル４００に形成したパネル側端子４８１、９１０は、画素駆動用の電極パターンと同時形成されたＩＴＯ膜からなるため、図１３に示すように、パネル側端子９１０に対して、異方性導電材を用いてキャパシタ９１を実装したとき、ＩＴＯ膜の膜厚のばらつきなどに起因して、接続抵抗が大きく、かつ、回路定数がばらつきやすいという問題点がある。
【０００８】
また、駆動用ＩＣ４９０やキャパシタ９１などの電子部品は小さく、電子部品とパネル側端子９１０との接触面積も小さい。よって、異方性導電材を用いて実装しても十分に固定することができず、電気抵抗値が不安定になったり、電子部品が解離したりするという問題点がある。
【０００９】
また、回路基板７の端子７８１は、表面に金めっきが施されているため、ラバーコネクタ６０のコネクタ電極との電気的な接続部分は、圧接しているだけでも接続抵抗が小さく、かつ、その経時的な抵抗変化も問題とならないが、パネル側端子４８１は、ＩＴＯ膜からなるため、パネル側端子４８１とラバーコネクタ７９のコネクタ電極との電気的な接続部分は、圧接しているだけでは接続抵抗が大きく、かつ、その抵抗が経時的に増大するという問題点がある。このような接続抵抗の問題は、電気光学パネル４００で表示を行なったとき、不点灯や表示が薄くなるという問題を引き起こす。
【００１０】
以上の問題点に鑑みて、本発明の課題は、電気光学パネルに対して電子部品を良好に電気的に接続することのできる電気光学装置、およびこの電気光学装置を用いた電子機器を提供することにある。
【００１１】
【課題を解決するための手段】
上記課題を解決するため、本発明では、一対の基板によって電気光学物質が保持された電気光学パネルと、前記一対の基板のうち一方の基板に実装された電子部品とを有する電気光学装置において、表面および裏面のそれぞれに形成された表面側端子および裏面側端子がスルーホールを経由して電気的に接続しているフレキシブル基板を具備し、前記表面側端子は前記電子部品と接続された端子を含み、前記裏面側端子は前記一方の基板に形成されている第１のパネル側端子と異方性導電材によって接続された端子を含み、前記フレキシブル基板は、一面全体が前記一方の基板に重ねられていることを特徴とする。
【００１２】
本発明において、電気光学パネルのパネル側端子に直接、電気的に接続されているのは、フレキシブル基板の裏面側端子であり、電子部品は、フレキシブル基板の表面側端子に対して半田などによって確実に実装されている。ここで、フレキシブル基板は、可撓性を有しているため、パネル側端子と異方性導電材によって電気的に接続する際、パネル側端子の膜厚ばらつきを吸収できる。また、フレキシブル基板の端子には通常、金めっきが施されているので、パネル側端子とフレキシブル基板の裏面側端子とは、確実に電気的に接続する。また、フレキシブル基板と基板とは大きい面積で接触する為、異方性導電材でも確実に実装することができる。従って、本発明によれば、電子部品を異方性導電材によってパネル側端子に直接、電気的に接続した場合と違って、接続抵抗が初期的に大きいなどという問題が発生しない。また、電子部品はフレキシブル基板と半田で接続されているため、電子部品を異方性導電材によってパネル側端子に直接、電気的に接続した場合に比べて、電子部品が解離するという問題が発生しない。
【００１３】
本発明において、前記一方の基板は、前記電気光学パネルの外部から前記電子部品に信号を入力するための第２のパネル側端子を具備し、前記裏面側端子は、前記第２のパネル側端子に異方性導電材によって電気的に接続された端子を含み、前記表面側端子には、パネル外部と電気的に接続される端子が含まれていることが好ましい。さらに、前記表面側端子および前記裏面側端子には、例えば、金めっきが施されていることが好ましい。このように構成すると、ラバーコネクタなどを利用して外部と電気光学パネル側との電気的な接続を行う場合でも、ラバーコネクタと電気光学パネル側との電気的な接続部分の信頼性が高い。すなわち、電気光学パネルのパネル側端子に対してフレキシブル基板の裏面側端子を異方性導電材によって電気的に接続し、かつ、フレキシブル基板の表面側端子に対してラバーコネクタのコネクタ電極を弾性をもって圧接させる構造では、フレキシブル基板の表面側端子には、通常、金めっきなどが施されているので、ここでの電気的な接続は、圧接だけでも接続抵抗が小さく、かつ、その経時的な抵抗変化も問題とならない。それ故、本発明によれば、電気光学パネルで表示を行なったとき、電気的な接続部分の抵抗の増大に起因して、不点灯や表示が薄くなるという問題を回避することができる。
【００１４】
本発明において、前記パネル側端子は、例えば、ＩＴＯ膜などの透明導電膜から構成されている。このように構成すると、パネル側端子を電気光学パネルに透明導電膜で形成された画素駆動用の電極パターンと同時に形成することができるため、パネル側端子を画素駆動用の電極パターンと異なる工程で形成する場合に比べて製造工程を簡素化できる。
【００１５】
本発明において、前記電気光学物質は、例えば、液晶である。
【００１６】
本発明に係る電気光学装置は、例えば、携帯電話などの電子機器の表示部として用いられる。
【００１７】
【発明の実施の形態】
添付図面を参照して、本発明の実施の形態を説明する。
【００１８】
［実施の形態１］
（電子機器の全体構成）
図１は、本発明が適用された電子機器の一例である携帯電話機の外観を示す斜視図、図２は、この携帯電話機の要部の構成を示す分解斜視図である。図３は、この携帯電話機において、回路基板、第１の反射材、第２の反射材、導光板、光拡散シート、電気光学パネルを重ねて電気光学装置を構成した状態を拡大して示す縦断面図である。なお、本形態の電子機器の基本的な構成は、従来のものと共通するので、共通する部分には同一の符号を付して説明する。
【００１９】
図１において、本形態の携帯電話機１には、その上半部分に、電気光学パネルとしての電気光学パネル４００を用いた表示部２が構成され、下半部分には、複数のキーボタン１０１が配置された操作部３が構成されている。表示部２の上方位置にはスピーカ穴４が形成され、操作部３の下方位置にはマイク穴５が形成されている。
【００２０】
図２に示すように、携帯電話機１は、下ケース６、この携帯電話機１を機能させるための各種の電気回路が形成された回路基板７、照明装置１０、光拡散シート８、各種の表示を行なう電気光学パネル４００、および上ケース９がこの順に重ねられた構成になっている。なお、図２には、スピーカあるいはマイクなどの図示を省略してある。
【００２１】
照明装置１０は、ＬＥＤなどからなる光源１１、透明なプラスチック成形品などからなる導光板１２、プラスチック成形品などからなる第１の反射材１５、およびシート状の第２の反射材１７から構成されている。
【００２２】
照明装置１０において、導光板１２には、電気光学パネル４００が配置される表示領域１２１が矩形の凹部として形成されているとともに、表示領域１２１に隣接する領域には、複数のキーボタン１０１が配置されるキーパッド領域１２２が形成されている。導光板１２の先端部分には、ＬＥＤなどからなる光源１１をそれぞれ配置する凹部１２３が２箇所に形成されている。
【００２３】
導光板１２の表示領域１２１では、底壁１２４の先端側の隅部分に、電気光学パネル４００と回路基板７とを電気的に接続するための矩形の貫通穴１２５が形成されている。
【００２４】
第１の反射材１５は、導光板１２の矩形の表示領域１２１の四辺のうち、キーパッド領域１２２が位置する側を除く導光板１２の三方の外周端面を囲む３つの側壁部分１５１、１５２、１５３と、表示領域１２１の下面に重ねられる底壁部分１５４とを有している。第１の反射材１５の底壁部分１５４には、導光板１２の凹部１２３と重なる位置に貫通穴１５９が形成されている。この貫通穴１５９は、回路基板７に第１の反射材１５および導光板１２を重ねたとき、回路基板７に実装されている光源１１を導光板１２の凹部１２３に通すための穴である。
【００２５】
第１の反射材１５の底壁部分１５４には、導光板１２の貫通穴１２５と重なる位置に矩形の貫通穴１５５が形成されている。
【００２６】
従って、図３に示すように、回路基板７の上面側において、第１の反射材１５、導光板１２および電気光学パネル４００を重ねて電気光学装置１００を組み立てたとき、回路基板７と電気光学パネル４００との間には、第１の反射材１５および導光板１２が介在するが、回路基板７と電気光学パネル４００とは、貫通穴１２５、１５５を介して対向している。それ故、後述するように、ラバーコネクタ６０などを用いれば、貫通穴１２５、１５５を介して、回路基板７と電気光学パネル４００とが対向している部分で回路基板７の端子７８１と電気光学パネル４００のパネル側端子４８１とを電気的に接続することができる。
【００２７】
なお、図２に示すように、上ケース９の操作部３、導光板１２のキーパッド領域１２２、およびシート状の第２の反射材１７には、透光性を有するキーボタン１０１が配置されるボタン穴９０、１２０、１７０が互いに重なる位置に形成され、これらの複数のボタン穴９０、１２０、１７０の内部にキーボタン１０１がそれぞれ配置される。
【００２８】
（電気光学パネル４００の構成）
図４および図５を参照して、本形態の携帯電話機１に用いた電気光学パネル４００の構成を説明する。
【００２９】
図４および図５はそれぞれ、電気光学パネル４００を斜め下方からみたときの斜視図および分解斜視図である。
【００３０】
図４および図５において、電気光学パネル４００は、パッシブマトリクス型のカラー液晶パネルであり、所定の間隙を介してシール材４３０によって貼り合わされた矩形のガラスなどからなる一対の透明基板間にシール材４３０によって液晶封入領域４３５が区画されているとともに、この液晶封入領域４３５内に、電気光学物質としての液晶が封入されている。ここでは、前記一対の透明基板のうち、液晶封入領域４３５内で縦方向に延びる複数列の第１の電極パターン４４０が形成されている方の基板を第１の透明基板４１０とし、液晶封入領域４３５内で横方向に延びる複数列の第２の電極パターン４５０が形成されている方の基板を第２の透明基板４２０とする。
【００３１】
ここに示す電気光学パネル４００は透過型であり、図２に示す照明装置１０をバックライトとして所定の表示を行なう。このため、第２の透明基板４２０の外側表面には偏光板４６１が貼られ、第１の透明基板４１０の外側表面には偏光板４６２が貼られている。なお、第２の透明基板４２０には、第１の電極パターン４４０と第２の電極パターン４５０との交点に相当する領域に、赤（Ｒ）、緑（Ｇ）、青（Ｂ）のカラーフィルタ（図示せず）が形成され、これらのカラーフィルタの表面側に絶縁性の平坦化膜、第２の電極パターン４５０、および配向膜がこの順に形成されている。これに対して、第１の透明基板４１０には、第１の電極パターン４４０および配向膜がこの順に形成されている。この電気光学パネル４００において、第１の電極パターン４４０および第２の電極パターン４５０は、いずれもＩＴＯ膜によって形成されている。
【００３２】
電気光学パネル４００では、外部との間での信号の入出力、および基板間の導通のいずれを行うにも、第１の透明基板４１０および第２の透明基板４２０の同一方向に位置する各基板辺４１８、４２８付近において第１の透明基板４１０および第２の透明基板４２０のそれぞれに形成されている第１の端子形成領域４１１および第２の端子形成領域４２１が用いられる。第２の透明基板４２０としては、第１の透明基板４１０よりも大きな基板が用いられ、第１の透明基板４１０と第２の透明基板４２０とを貼り合わせたときに第１の透明基板４１０の基板辺４１８から第２の透明基板４２０が張り出す部分４２５（張り出し領域）に駆動用ＩＣ４９０が異方性導電材などによってＣＯＧ実装されている。
【００３３】
第２の端子形成領域４２１において、駆動用ＩＣ４９０より液晶封入領域４３５の側に位置する部分は、第１の透明基板４１０の側との基板間導通用に用いられるので、第１の透明基板４１０との重なり部分に形成されている。また、第１の透明基板４１０において、第１の端子形成領域４１１は、第２の透明基板４２０の側との基板間導通に用いられるので、第２の透明基板４２０との重なり部分に形成されている。
【００３４】
従って、第１の透明基板４１０と第２の透明基板４２０とを基板間導通剤を含有するシール材４３０で貼り合わせて基板間で基板間導通端子同士を導通させて、外部から駆動用ＩＣ４９０に信号入力すれば、駆動用ＩＣ４９０から出力された信号は、第１の電極パターン４４０および第２の電極パターン４５０に供給されるので、第１の電極パターン４４０と第２の電極パターン４５０との交点に相当する画素を各々駆動することができる。
【００３５】
第２の透明基板４２０が第１の透明基板４１０から張り出した部分４２５には、駆動用ＩＣ４９０を実装するための端子（図示せず）の他にも、駆動用ＩＣ４９０に対して外付けされる表面実装型の昇圧用のキャパシタ９１（電子部品）の電極と電気的に接続されるパネル側端子９１１（第１のパネル側端子）が形成されている。また、張り出し部分４２５において、駆動用ＩＣ４９０より基板辺４２１の側に位置する部分には、信号入出力用のパネル側端子４８１（第２のパネル側端子）が形成されている。このようなパネル側端子９１１、４８１は、いずれも第２の電極パターン４５０と同時形成されたＩＴＯ膜からなる。また、第１の透明基板４１０および第２の透明基板４２０に形成されている基板間導通端子も第１の電極パターン４４や第２の電極パターン４５０と同時形成されたＩＴＯ膜からなる。
【００３６】
（電気光学パネル４００の端子に対する電気的な接続構造）
このように構成した電気光学パネル４００において、ＩＴＯ膜から形成した端子９１１に表面実装型のキャパシタ９１を直接、実装した場合、およびＩＴＯ膜から形成したパネル側端子４８１にラバーコネクタ６０のコネクタ電極を直接、圧接させると、電気的特性および信頼性が低下する。そこで、本形態では、このような電子部品をパネル側端子４８１、９１１に電気的に接続するにあたって、図６に示すフレキシブル基板を用いる。
【００３７】
図６は、本形態で用いたフレキシブル基板に形成されている端子、および電気光学パネルに形成されている端子などを示す平面図である。図７（Ａ）、（Ｂ）はそれぞれ、図６に示すフレキシブル基板を用いて表面実装型のキャパシタ、およびラバーコネクタを電気光学パネルに電気的に接続した様子を示す断面図である。
【００３８】
図６において、第２の透明基板４２０の張り出し部分４２５には、点線で示すように、キャパシタ９１に電気的に接続されるべきパネル側端子９１１と、外部からの信号が入力されるパネル側端子４８１とが基板辺４２８に沿って並んで形成され、これらの端子９１１、４８１の各々からは配線パターン４８２が延びている。
【００３９】
また、フレキシブル基板７０の表面には、実線で示すように、複数の表面側端子７１が形成され、その裏面には、一点鎖線で示すように、複数の裏面側端子７２が形成されている。
【００４０】
本形態において、裏面側端子７２には、フレキシブル基板７０の一面全体を第２の透明基板４２０の張り出し部分４２５に重ねたとき、キャパシタ９１に電気的に接続されるべきパネル側端子９１１と重なる第１の裏面側端子７２１と、信号入出力用のパネル側端子４８１に重なる第２の裏面側端子７２２とが含まれている。
【００４１】
一方、表面側端子７１には、第１の裏面側端子７２１に対して配線パターン７１６およびスルーホール７０３を介して電気的に接続する第１の表面側端子７１１と、第２の裏面側端子７２２に対してスルーホール７０４を介して電気的に接続する第２の表面側端子７１２とが含まれている。
【００４２】
ここで、表面側端子７１（第１の表面側端子７１１および第２の表面側端子７１２）、および裏面側端子７２（第１の裏面側端子７２１および第２の裏面側端子７２２）は、銅箔パターンの表面に金めっきが施されている。
【００４３】
本形態では、このように構成したフレキシブル基板７０を用いて、以下に説明するようにして、電気光学パネル４００のパネル側端子９１１にキャパシタ９１の電極を電気的に接続し、かつ、パネル側端子４８１に回路基板７の端子７８１を電気的に接続する（図３を参照）。なお、回路基板７の端子７８１も表面に金めっきが施されている。
【００４４】
まず、フレキシブル基板７０の第１の表面側端子７１１に対してキャパシタ９１を半田により実装する。
【００４５】
次に、キャパシタ９１が実装されたフレキシブル基板７０を、電気光学パネル４００の第２の透明基板４２０に裏面側を向けて張り出し部分４２５に異方性導電材を介して重ね、フレキシブル基板７０全体が張り出し部分４２５に完全に重なるように、フレキシブル基板７０を第２の透明基板４２０に実装する。その結果、図７（Ａ）に示すように、第１の裏面側端子７２１は、異方性導電材８００によってパネル側端子９１１に電気的に接続する。従って、キャパシタ９１の各電極は、第１の表面側端子７１１、配線パターン７１６、スルーホール７０３、第１の裏面側端子７２１を介して、パネル側端子９１１に電気的に接続することになる。また、図７（Ｂ）に示すように、第２の裏面側端子７２２は、異方性導電材８００によってパネル側端子４８１に電気的に接続する。
【００４６】
次に、図３に示すように、回路基板７の上面側において、第１の反射材１５、導光板１２および電気光学パネル４００を重ねて電気光学装置１００を組み立てる。この際、フレキシブル基板７０と回路基板７との間にラバーコネクタ６０を配置する。その結果、ラバーコネクタ６０のコネクタ電極は、フレキシブル基板７０の第２の表面側端子７１２に弾性をもって圧接するとともに、回路基板７の端子７８１にも弾性をもって圧接する。従って、図７（Ｂ）に示すように、パネル側端子４８１と回路基板７の端子７８１とは、フレキシブル基板７０の第２の裏面側端子７２２、スルーホール７０４、第２の表面側端子７１２、ラバーコネクタ６０を介して電気的に接続することになる。なお、本実施の形態ではコネクタ電極としてラバーコネクタを用いたが、弾性力によって圧接を行うものであればどのようなコネクタ電極でも用いることができ、例えばくの字形の金属バネの復元力によって圧接を行うようなスプリング構造のコネクタ等を用いてもよい。
【００４７】
（本形態の効果）
このように、本形態において、電気光学パネル４００のパネル側端子４８１、９１１に対して異方性導電材８００によって直接、電気的に接続されているのは、フレキシブル基板７０の裏面側端子７２であり、このフレキシブル基板７０の表面側端子７１にキャパシタ９１やラバーコネクタ６０などの電子部品が電気的に接続している。ここで、フレキシブル基板７０は可撓性を有しているため、異方性導電材８００による電気的な接続を行う際、パネル側端子４８１、９１１を構成するＩＴＯ膜の厚さのばらつきを吸収できる。また、フレキシブル基板７０の裏面側端子７２には金めっきが施されているので、表面実装型のキャパシタ９１やラバーコネクタ６０をパネル側端子４８１、９１１に直接、電気的に接続した場合と違って、接続抵抗が初期的に大きいという問題、あるいは接続抵抗が経時的に増大するなどの問題が発生しない。
【００４８】
すなわち、表面実装型のキャパシタ９１は、パネル側端子９１１に対して異方性導電材によって直接、電気的に接続しているのではなく、パネル側端子９１１に異方性導電材８００を介して第１の裏面側端子７２１が良好に電気的に接続されたフレキシブル基板７０の第１の表面側端子７１１に対して半田によって電気的接続しているので、この接続部分では、接続抵抗が小さく、かつ、その経時的な抵抗変化も問題とならない。
【００４９】
また、ラバーコネクタ６０は、電気光学パネル４００のパネル側端子４８１に直接、圧接しているのではなく、パネル側端子４８１に異方性導電材８００を介して第２の裏面側端子７２２が良好に電気的に接続されたフレキシブル基板７０の第２の表面側端子７１２に対して圧接している。このような状態において、フレキシブル基板７０の第２の表面側端子７１２には、ラバーコネクタ６０のコネクタ電極が弾性をもって圧接しているだけの構造になっているが、フレキシブル基板６０の表面側端子７１には、金めっきが施されているので、この接続部分では、圧接しているだけでも接続抵抗が小さく、かつ、その経時的な抵抗変化も問題とならない。また、ラバーコネクタ６０のコネクタ電極は、回路基板７の端子７８１に弾性をもって圧接しているだけの構造になっているが、この端子７８１にも金めっきが施されているので、この接続部分では、圧接しているだけでも接続抵抗が小さく、かつ、その経時的な抵抗変化も問題とならない。それ故、電気光学パネル４００で表示を行なったとき、電気的な接続部分の抵抗の増大に起因して、不点灯や表示が薄くなるという問題を回避することができる。
【００５０】
［実施の形態２］
実施の形態１では、キャパシタ９１が実装されたフレキシブル基板７０には、ラバーコネクタ６０が圧接する第２の表面側端子７２２が形成されている例を説明したが、ラバーコネクタ６０を介しての電気的な接続で支障がない場合、あるいは、パネル側端子４８１に対して別のフレキシブル基板を接続して、このフレキシブル基板を介して駆動用ＩＣ４９０に対して信号入力を行う場合には、図８、図９および図１０を参照して以下に説明するように、フレキシブル基板７０をキャパシタ９１の実装用にのみ利用してもよい。
【００５１】
図８および図９はそれぞれ、本発明の実施の形態２に係る電気光学装置に用いた電気光学パネルを斜め下方から見た斜視図、およびこの電気光学パネルを斜め下方から見た分解斜視図である。図１０は、本形態の電気光学パネルに接続されるフレキシブル基板に形成されている端子、および電気光学パネルに形成されている端子などを示す平面図である。なお、本形態の基本的な構成は、実施の形態１と同様であるため、共通する機能を有する部分には同一の符号を付して、図８および図９に図示し、それらの説明を省略する。
【００５２】
図８および図９に示すように、実施の形態１と同様、本形態の電気光学装置に用いた電気光学パネル４００では、所定の間隙を介してシール材４３０によって貼り合わされた矩形のガラスなどからなる一対の透明基板間にシール材４３０によって液晶封入領域４３５が区画されているとともに、この液晶封入領域４３５内に液晶が封入されている。
【００５３】
ここに示す電気光学パネル４００でも、外部との間での信号の入出力、および基板間の導通が、第１の透明基板４１０および第２の透明基板４２０のそれぞれに形成されている第１の端子形成領域４１１および第２の端子形成領域４２１が用いられる。また、第１の透明基板４１０と第２の透明基板４２０とを貼り合わせたときに第１の透明基板４１０の基板辺４１８から第２の透明基板４２０が張り出す部分４２５（張り出し領域）に駆動用ＩＣ４９０がＣＯＧ実装されている。
【００５４】
この張り出し部分４２５には、駆動用ＩＣ４９０を実装するための端子（図示せず）の他にも、駆動用ＩＣ４９０に対して外付けされる表面実装型の昇圧用のキャパシタ９１（電子部品）の電極と電気的に接続されるパネル側端子９１１（第１のパネル側端子）が形成されている。また、張り出した部分４２５において、駆動用ＩＣ４９０より基板辺４２８の側に位置する部分に信号入出力用のパネル側端子４８１（第２のパネル側端子）が形成されている。このようなパネル側端子９１１、４８１は、いずれも第２の電極パターン４５０と同時形成されたＩＴＯ膜からなる。
【００５５】
このように構成した電気光学パネル４００において、キャパシタ９１を実装するのに、図１０に示すフレキシブル基板７０を用いる。
【００５６】
図１０において、第２の透明基板２０の張り出し部分４２５には、点線で示すように、キャパシタ９１に電気的に接続されるべきパネル側端子９１１が並んで形成され、これらの端子９１１の各々からは配線パターン４８２が延びている。
【００５７】
また、フレキシブル基板７０の表面には、実線で示すように、複数の表面側端子７１が形成され、その裏面には、一点鎖線で示すように、複数の裏面側端子７２が形成されている。裏面側端子７２は、フレキシブル基板７０全体を第２の透明基板２０の張り出し部分４２５に重ねたときパネル側端子９１１と重なるように形成され、表面側端子７１は、裏面側端子７２に対して配線パターン７１６およびスルーホール７０３を介して電気的に接続している。ここで、表面側端子７１および裏面側端子７２の表面には金めっきが施されている。
【００５８】
このように構成したフレキシブル基板７０を用いて電気光学装置を製造するには、まず、フレキシブル基板７０の表面側端子７１に対して、キャパシタ９１を半田により実装する。次に、キャパシタ９１が実装されたフレキシブル基板７０を、電気光学パネル４００の第２の透明基板４２０に裏面側を向けて張り出し部分４２５に異方性導電材を介して重ね、フレキシブル基板７０全体が張り出し部分４２５に完全に重なるようにフレキシブル基板７０を第２の透明基板４２０に実装する。その結果、本形態でも、図７（Ａ）を参照して説明したように、裏面側端子７２は、異方性導電材８００によってパネル側端子９１１に電気的に接続する。従って、キャパシタ９１の各電極は、表面側端子７１、配線パターン７１６、スルーホール７０３、裏面側端子７２を介してパネル側端子９１１に電気的に接続することになる。
【００５９】
従って、本形態でも、実施の形態１と同様、表面実装型のキャパシタ９１は、パネル側端子９１１に対して異方性導電材８００によって直接、電気的に接続しているのではなく、パネル側端子９１１に異方性導電材８００を介して裏面側端子７２が良好に電気的に接続されたフレキシブル基板７０の表面側端子７１に対して半田によって電気的接続しているので、この電気的な接続部分は、接続抵抗が小さく、かつ、その経時的な抵抗変化も問題とならない。
【００６０】
［その他の実施の形態］
なお、上記のいずれの実施の形態でも、携帯電話機１に本発明を適用した例を説明したが、その他の表示装置などといった電子機器に本発明を適用してもよい。また、上記形態では、電気光学パネル４００として液晶パネルを用いた例を説明したが、電気光学パネル４００としては、液晶パネルに限らず、有機エレクトロルミネッセンス型の電気光学パネルを用いた電子機器に本発明を適用してもよい。
【００６１】
【発明の効果】
以上説明したように、本発明では、電気光学パネルのパネル側端子に直接、電気的に接続されているのは、フレキシブル基板の裏面側端子であり、表面実装型の電子部品は、フレキシブル基板の表面側端子に対して半田などによって確実に実装されている。ここで、フレキシブル基板は、可撓性を有しているため、パネル側端子と異方性導電材によって電気的に接続する際、パネル側端子の膜厚ばらつきを吸収でき、かつ、フレキシブル基板の端子には通常、金めっきが施されているので、パネル側端子とフレキシブル基板の裏面側端子とは、確実に電気的に接続する。従って、表面実装型の電子部品を異方性導電材によって、パネル側端子に直接、電気的に接続した場合と違って、接続抵抗が初期的に大きいなどという問題が発生しない。また、電子部品はフレキシブル基板と半田で接続されているため、電子部品を異方性導電材によってパネル側端子に直接、電気的に接続した場合に比べて、電子部品が解離するという問題が発生しない。
【図面の簡単な説明】
【図１】本発明の実施の形態１に係る電子機器の一例である携帯電話機の外観を示す斜視図である。
【図２】図１に示す携帯電話機の要部の構成を示す分解斜視図である。
【図３】本発明を適用した携帯電話機において、回路基板、第１の反射材、第２の反射材、導光板、光拡散シート、電気光学パネルを重ねた電気光学装置を拡大して示す縦断面図である。
【図４】図３に示す携帯電話機に用いた電気光学パネルを斜め下方から見た斜視図である。
【図５】図４に示す電気光学パネルを斜め下方から見た分解斜視図である。
【図６】図４に示す電気光学パネルに接続されるフレキシブル基板に形成されている端子、および電気光学パネルに形成されている端子などを示す平面図である。
【図７】（Ａ）、（Ｂ）はそれぞれ、図６に示すフレキシブル基板を用いて表面実装型のキャパシタ、およびラバーコネクタを電気光学パネルに電気的に接続した様子を示す断面図である。
【図８】本発明の実施の形態２に係る電気光学装置に用いた電気光学パネルを斜め下方から見た斜視図である。
【図９】図８に示す電気光学パネルを斜め下方から見た分解斜視図である。
【図１０】図８に示す電気光学パネルに接続されるフレキシブル基板に形成されている端子、および電気光学パネルに形成されている端子などを示す平面図である。
【図１１】従来の携帯電話機に搭載した電気光学装置において、回路基板、第１の反射材、第２の反射材、導光板、光拡散シート、電気光学パネルを重ねた状態を拡大して示す縦断面図である。
【図１２】図１１に示す携帯電話機に用いた電気光学パネルを斜め下方から見た斜視図である。
【図１３】図１２に示す電気光学パネルに表面実装型のキャパシタを実装した様子を示す断面図である。
【符号の説明】
１  携帯電話機（電子機器）
２  表示部
３  操作部
７  回路基板
１０  照明装置
１１  光源
１２  導光板
６０  ラバーコネクタ
７０  フレキシブル基板
７１  フレキシブル基板の表面側端子
７２  フレキシブル基板の裏面側端子
９１  キャパシタ（電子部品）
１００  電気光学装置
４００  電気光学パネル
４１０  第１の透明基板
４１１  第１の端子形成領域
４２０  第２の透明基板
４２１  第２の端子形成領域
４２５  透明基板が張り出す部分（張り出し領域）
４４０  第１の電極パターン
４５０  第２の電極パターン
４８１  信号入出力用のパネル側端子（第２のパネル側端子）
４９０  駆動用ＩＣ
７０３、７０４  フレキシブル基板のスルーホール
７１１  フレキシブル基板の第１の表面側端子
７１２  フレキシブル基板の第２の表面側端子
７２１  フレキシブル基板の第１の裏面側端子
７２２  フレキシブル基板の第２の裏面側端子
７８１  回路基板の端子
８００  異方性導電材
９１１  キャパシタとの電気的接続用のパネル側端子（第２のパネル側端子）
【図１】
0003800015.tif 000002
【図２】
0003800015.tif 000003
【図３】
0003800015.tif 000004
【図４】
0003800015.tif 000005
【図５】
0003800015.tif 000006
【図６】
0003800015.tif 000007
【図７】
0003800015.tif 000008
【図８】
0003800015.tif 000009
【図９】
0003800015.tif 000010
【図１０】
0003800015.tif 000011
【図１１】
0003800015.tif 000012
【図１２】
0003800015.tif 000013
【図１３】
0003800015.tif 000014